(57)【要約】      （修正有）【課題】容易な装填と、簡単な操作によるペーパー先端部の送り出しとが可能となるロールペーパーホルダーを提供する。【解決手段】基部１の前方の芯受け体４ｂにロールペーパーＲを吊り下げ可能としたロール装填部４と、基部の枢支部２を介して上下擺動可能とするペーパー切断刃５ａを先端に形成したロール押圧部５とを備えたロールペーパーホルダーにおいて、ロール押圧部前側のロールペーパー押し上げ可能部位にロール当接部６を形成し、基部の枢支部の下方に設けた下部枢支部３に、ペーパーＰの先端部を送り出す方向には抵抗少なく且つその逆方向には抵抗大とする逆止面８ａを有し且つ逆止面を前へ付勢するバネ９を設けたロール送出し部７を枢支し、ロール送出し部７とロール押圧部５との間に、ロールペーパーが装填可能となる位置までロール押圧部の上方移動に従動してロール送出し部を一時的に後退させる連係機構を設ける。【選択図】図２
0003200214.tif 000002
【実用新案登録請求の範囲】
【請求項１】
基部から前方に突出させたロール支持体に芯受け体を設けて該芯受け体に吊り下げ用の空洞を有する円筒状芯材に巻着したロールペーパーを前記基部と平行且つ水平に吊り下げ可能としたロール装填部と、前記基部に設けた枢支部を介して上下擺動可能とすると共に装填されたロールペーパーの前側を押さえてペーパーを切り取るペーパー切断刃を先端に形成したロール押圧部とを備えたロールペーパーホルダーにおいて、
前記ロール押圧部前側の前記ロールペーパーの前側の押し下げで後方への押し上げを可能とする部位にロール当接部を形成し、
前記基部の枢支部の下方に下部枢支部を設けて該下部枢支部に、前記ロールペーパーの外周面に対して前記ペーパーの先端部を送り出す方向には抵抗少なく且つその逆方向には抵抗大とする逆止面を有すると共に該逆止面を前へ付勢するバネを設けたロール送出し部を枢支し、
前記ロール送出し部とロール押圧部との間に、前記ロール装填部にロールペーパーが装填可能となる位置まで該ロール押圧部の上方移動に従動させて前記ロール送出し部を前記芯受け体から一時的に後退させる連係機構を設けたことを特徴とするロールペーパーホルダー。
【請求項２】
連係機構は、ロール押圧部の枢支部の下部に下向きに突設した押圧回動片と、ロール送出し部の枢支部の上部に上向きに突設した受圧回動片とを備え、
前記押圧回動片と前記受圧回動片とを、前記ロール押圧部を上げたときには、前記押圧回動片が前記受圧回動片の後面に接触して前記受圧回動片をバネの付勢に抗して前へ押し出すことでロール送出し部をロールペーパーが装填可能な開き角度が得られる後方まで後退させ、上げた前記ロール押圧部を下に戻したときには、前記押圧回動片の後退で前記受圧回動片がバネの付勢で前記押圧回動片に接触しつつ後退して前記ロール送出し部を前進させ、且つ前記ロール押圧部のロール当接部がロールペーパーに当たる前に前記受圧回動片が前記押圧回動片から離脱するよう形成したことを特徴とする請求項１に記載のロールペーパーホルダー。
【請求項３】
押圧回動片は、先端部までの途中を後方へ膨らむように湾曲させてロール押圧部の枢支部と一体的に形成し、受圧回部動片は、先端部までの途中を後方へ膨らむように湾曲させてロール送出し部の枢支部と一体的に形成し、該受圧回部動片の先端部は、前記ロール押圧部の枢支部に達する長さとしたことを特徴とする請求項２に記載のロールペーパーホルダー。
【請求項４】
バネが、ロール装填部のほぼ真下にロールペーパーの中心が保持されたままで、ロールペーパーが使用により径が減衰しても該ロールペーパーの外周面に対してロール送出し部の逆止面が常に当接可能な弾発力を備えたものであることを特徴とする請求項１から３のうちいずれかに記載のロールペーパーホルダー。
【請求項５】
逆止面を、繊維を上方へ傾斜させた偏向植込み繊維面としたことを特徴とする請求項１から４のうちいずれかに記載のロールペーパーホルダー。
【請求項６】
基部とロール押圧部との間に、押されて下に移動したロール当接部が自重に抗して元の位置に戻る付勢力を備えた戻りバネを設けたことを特徴とする請求項１から５のうちいずれかに記載のロールペーパーホルダー。
【考案の詳細な説明】
【技術分野】
【０００１】
本発明は、ペーパーの先端部をペーパー切断刃から下方へ送り出してホルダーからペーパーを引き出し易くするロールペーパーホルダーに関する。
【背景技術】
【０００２】
従来のロールタイプのトイレットペーパーのホルダーは、ホルダーに装填されたペーパーを使用したとき、ペーパーの先端部が上蓋の先端に設けたペーパー切断刃によって切断されることで刃先より手前側が全て切り取られてなくなってしまうため、次に使用するときにペーパーを指で摘めず、このためペーパーを容易に引き出すことができないという難点がある。
そのような難点を解消するために、ホルダーに装填されたトイレットペーパーの先端部をペーパー切断刃の下方へ送り出す技術に関し、下記特許文献１には、蓋部に送り出し機能を設けることが提案されている。該ホルダーでは、蓋部がバネで上がるように付勢されており、蓋部を下に押し付けてペーパーを切断した後に手を離すと自動的に蓋部が上がるが、その際、ロールペーパーの背面に垂れ下げた送り出し部が蓋部と共に上がることで、ロールペーパーの上部が前へ回転して蓋部の先端からペーパーの先端部が送り出される仕組みとなっている。
しかし、前記特許文献１のホルダーでは、蓋の下面に対する取付け構造が複雑となり既存のホルダーには取付け難い。そこで本考案者は、先に下記特許文献２のペーパーホルダーを提案し、これにより既存のホルダーにも容易に取付けでき且つペーパーの先端部を簡単な操作で送り出し可能となる簡潔な構造のペーパーホルダーが提供可能となった。
【先行技術文献】
【特許文献】
【０００３】
【特許文献１】特開２００５−１４４１１２号公報
【特許文献２】特開２０１４−１５５６７９号公報
【考案の概要】
【考案が解決しようとする課題】
【０００４】
しかしながら、前記特許文献２のホルダーでは、芯受け体の大きさやペーパー切断部の位置などに機能が影響されて送り出されるペーパーが短くなる場合があること、逆止体を備えたロール送り出し部によってロールペーパーの装填が困難となる場合があるなど使用において必ずしも満足されない面があった。
そこで、本考案は、ペーパーの先端部を簡単な操作で確実に一定の長さに送り出しを可能とすると共にロールペーパーが簡単に装填可能となるロールペーパーホルダーを提供することを目的とする。
【課題を解決するための手段】
【０００５】
上記課題を解決するため、本発明のロールペーパーホルダーは、基部から前方に突出させたロール支持体に芯受け体を設けて該芯受け体に吊り下げ用の空洞を有する円筒状芯材に巻着したロールペーパーを前記基部と平行且つ水平に吊り下げ可能としたロール装填部と、前記基部に設けた枢支部を介して上下擺動可能とすると共に装填されたロールペーパーの前側を押さえてペーパーを切り取るペーパー切断刃を先端に形成したロール押圧部とを備えたロールペーパーホルダーにおいて、前記ロール押圧部前側の前記ロールペーパーの前側の押し下げで後方への押し上げを可能とする部位にロール当接部を形成し、前記基部の枢支部の下方に下部枢支部を設けて該下部枢支部に、前記ロールペーパーの外周面に対して前記ペーパーの先端部を送り出す方向には抵抗少なく且つその逆方向には抵抗大とする逆止面を有すると共に該逆止面を前へ付勢するバネを設けたロール送出し部を枢支し、前記ロール送出し部とロール押圧部との間に、前記ロール装填部にロールペーパーが装填可能となる位置まで該ロール押圧部の上方移動に従動させて前記ロール送出し部を前記芯受け体から一時的に後退させる連係機構を設けたことを特徴とする。
【０００６】
請求項２の考案は上記考案において、前記連係機構は、前記ロール押圧部の枢支部の下部に下向きに突設した押圧回動片と、前記ロール送出し部の枢支部の上部に上向きに突設した受圧回動片とを備え、前記押圧回動片と前記受圧回動片とを、前記ロール押圧部を上げたときには、前記押圧回動片が前記受圧回動片の後面に接触して前記受圧回動片をバネの付勢に抗して前へ押し出すことでロール送出し部をロールペーパーが装填可能な開き角度が得られる後方まで後退させ、上げた前記ロール押圧部を下に戻したときには、前記押圧回動片の後退で前記受圧回動片がバネの付勢で前記押圧回動片に接触しつつ後退して前記ロール送出し部を前進させ、且つ前記ロール押圧部のロール当接部がロールペーパーに当たる前に前記受圧回動片が前記押圧回動片から離脱するよう形成したことを特徴とする。
【０００７】
請求項３の考案は、上記考案において、前記押圧回動片は、先端部までの途中を後方へ膨らむように湾曲させて前記ロール押圧部の枢支部と一体的に形成し、受圧回部動片は、先端部までの途中を後方へ膨らむように湾曲させて前記ロール送出し部の枢支部と一体的に形成し、該受圧回部動片の先端部は、前記ロール押圧部の枢支部に達する長さとしたことを特徴とする。
【０００８】
請求項４の考案は、上記考案において、前記バネが、前記ロール装填部のほぼ真下にロールペーパーの中心が保持されたままで、ロールペーパーが使用により径が減衰しても該ロールペーパーの外周面に対して前記ロール送出し部の逆止面が常に当接可能な弾発力を備えたものであることを特徴とする。
【０００９】
請求項５の考案は、上記考案において、前記逆止面を、繊維を上方へ傾斜させた偏向植込み繊維面としたことを特徴とする。
【００１０】
請求項６の考案は、上記考案において、前記基部とロール押圧部との間に、押されて下に移動したロール当接部が自重に抗して元の位置に戻る付勢力を備えた戻りバネを設けたことを特徴とする。
【考案の効果】
【００１１】
本発明のロールペーパーホルダーは上記構成であり、基部に枢支されたロール押圧部を下に押すとロールペーパーの前側を該ロール押圧部前側のロール当接部が押し下げ、ロールペーパーは芯受け体に上部を拘束されているので、空洞を有する円筒状芯材の下部が後方に押されて上方向に回動しつつ押し上げられ、その際、ロール送出し部の逆止面に当たってロールペーパーの後部が抵抗少なく逆止面を滑るように上げられる。
そして、ロール押圧部から手を離すとロール当接部による押圧が解除されて、逆止面に当たっているロールペーパーの後部がバネの力で前へと押され、且つロールペーパーの自重で落下すが、その際にロール送出し部の逆止面によってロールペーパーの後面が逆止面に当たって前側は落下するが後側の落下が停止されるので、ロールペーパーの上部が後ろから前へ進む回転が起こり、ペーパーの先端部がペーパー切断刃から下へ確実に送り出して行く。
このロールペーパーの送り出し部分は指で摘めば簡単にペーパーを引き出しが可能となる。
そして、ホルダーにロールペーパーを装填する際には、使用済みのロールペーパーを抜き取ると、前記ロール送出し部がバネに押されて前記芯受け体に当たるか接近しているのでこのままでは前記芯受け体にロールペーパーを差し込むことができないが、前記ロール送出し部とロール押圧部との連係機構によって、ロール押圧部を上に押し上げるとロール送出し部が前記芯受け体から後退して離れて行く。
この結果、前記芯受け体の上部側と下部側が同時に広く開放され、前記芯受け体にロールペーパーを容易に差し込むことが可能となる。
そして、前記芯受け体にロールペーパーを差し込んで装填されたら、ロール押圧部を手で押し下げると一旦後退していたロール送出し部が戻って逆止面がロールペーパーに当接するが、同時にロール当接部がロールペーパーに当たる前にロール送出し部のロール押圧部による拘束が解除されるようにしたことで、ロール押圧部の押し下げでロールペーパーが送り方向に回転し、ロールペーパーの送出し機能が元通りに回復可能となる。
【００１２】
請求項２の考案においては、前記ロール押圧部の枢支部の下部に下向きに突設した押圧回動片と前記ロール送出し部の枢支部の上部に上向き突設した受圧回動片とが上下に接触する連係機構によって、前記ロール押圧部を上げたときには、ロール押圧部の下部の押圧回動片の先端部がロール送出し部の上部の受圧回動片の後側に接触して該受圧回動片を前へ押し出すことでロール送出し部がロールペーパーの装填可能な開き角度が得られる後方まで後退し、前記芯受け体の両側のロール押圧部とロール送出し部との間が開いてロール装填部にロールペーパーが容易に装填可能となる。
又、上がっている前記ロール押圧部を下に戻して、常時は、前記押圧回動片と受圧回動片との連動が解除され互いに離れた状態とすることで、ロールペーパーの装填の際に可動する連係機構に全く邪魔されることなく、ロール押圧部の押し下げによるロールペーパーの送り出しが正常に行えるようになる。
【００１３】
請求項３の考案においては、前記連係機構の前記押圧回動片を前記ロール押圧部の枢支部の下部に前向きに湾曲させて一体的に設け、前記受圧回部動片をロール送出し部の上部の下部枢支部に前向きに湾曲させて一体的に設けたので、記押圧回動片と受圧回部動片の各枢支部を中心とする円運動による各湾曲の接触と各湾曲に対する先端部が滑らかに接触し、ペーパー切断部とロール送出し部とを確実に連動させ、前記ロール押圧部を上げるとロール送出し部が前記芯受け体の両側へ同時に離れ、ロール装填部にロールペーパーが容易に装填可能となる。
そして、上げた前記ロール押圧部を下げると前記ロール押圧部の押圧回動片に接触しているロール送出し部上部の受圧回部動片が、バネで押されて従動して後退し、その途中で受圧回部動片がロール押圧部の枢支部に当たって停止し、この結果、押圧回動片と受圧回動片との連係が解除されて互いが離れた状態に置くことが可能となる。
即ち、ロールペーパーが使用により径が減衰しても、ロール押圧部のロール当接部がロールペーパーの外周面に当接する前に確実に連係が解除され、ロールペーパーの正常な送り出し機能が維持可能となる。
【００１４】
請求項４の考案においては、ロールペーパーの後側に常に逆止面の接触が保持されるのに必要なバネを用いることで該バネの弾発力によってペーパーの使用により径が減衰しても前記逆止面がロールペーパーに対して常に当接可能となる。そして該逆止面の逆止効果が有効に発揮されるため一旦押し上げられた前記ロールペーパーの後側面の戻りが防止され、ペーパーの先端部をペーパー切断刃から下へ芯材の表面に少し残ったペーパーの最後まで、確実に送り出すことが可能となる。
【００１５】
請求項５の考案においては、逆止体の逆止面を偏向植込み繊維面としたことで、繊維を上方へ傾斜した偏向植込み繊維面がロールペーパーの後面に接触したとき、ロールペーパーを押し上げるときには前記偏向植込み繊維面で抵抗なく表面を滑って押し上げられ、次に手を離して押し上げを解除したとき偏向植込み繊維面の繊維がペーパーの繊維に刺さって落下するときの後方向への回転が確実に停止され、この逆止効果によりペーパーを確実にペーパー切断刃から下へ送り出すことが可能となる。
【００１６】
請求項６の考案においては、前記基部とロール押圧部との間の戻りバネの付勢力によってロール押圧部の自重による荷重が軽減される。
そして、ロールペーパーの送り出し移動に対する抵抗圧力が軽減されためロール押圧部の重さで邪魔されることなく、一旦ロール押圧部によって一旦押されて下がったロールペーパーを常に元に位置まで確実に戻すことができ、正常なロールペーパーの送り出しを維持させることが可能となる。
【図面の簡単な説明】
【００１７】
【図１】本考案のロールペーパーを装填してロール押圧部を高く上げた状態を示す斜視図である。
【図２】ペーパーを送り出す前の状態とロール押圧部を押してロールペーパーを送り出した後の状態を示す縦断側面図である。
【図３】ロール押圧部を上げてロール送出し部を後退させロールペーパーを装填する途中の状態を示す縦断側面である。
【図４】ロールペーパーの径が小さくなった状態を示す縦断側面図である。
【考案を実施するための形態】
【００１８】
本考案の実施形態を図を参照して以下説明する。
本考案のロールペーパーには家庭等で使用されるトイレ用のロールペーパーが使用される。
該ロールペーパーは、例えば、径が約４０ｍｍ、幅約１２０ｍｍでその内部に広い空洞Ｋを備えた円筒状の芯材に、幅約１２０ｍｍの帯状のパーパーが約１２０ｍｍ程度の径となるように巻着される。そして、前記芯材には指で押しても簡単には潰れず円筒形を保持しうる硬さを有した紙が使用される。
【００１９】
本考案は上記の如きロールペーパーを対象とし、図１に示すように、トイレの壁面Ｗ等に取り付けるための基部１に棒状のロール装填部４を備え、該ロール装填部４に該ロールペーパーＲが吊られて装填されるホルダーを例に以下詳述する。
【００２０】
前記基部１には、図１に示すように、壁面Ｗ等に固定するための直立平面を備えた背面部１ａの左右両側から前方に側面部１ｂ、１ｂを突設した平面視コ字形の壁面固定用の金具を使用する。
該基部１を壁面Ｗに固定するには、背面部１ａに接着剤を塗布して壁面に固着したり、背面部１ａにネジ孔を設けてネジ固定したり、又フックを設けて着脱式に固定したりするなどの各種態様が可能である。
【００２１】
そして、前記基部１に８ｍｍ径の金属棒製のロール装填部４を設ける。
該ロール装填部４は１本の棒体から成り、その棒体は、前記基部１の両側面部１ｂの左右いずれかの一側方から前方斜め下向きにロールペーパーＲの半径よりも長い１１０ｍｍの長さにロール支持部４ａが突設され、該ロール支持部４ａの先端部を前記基部１の背面部１ａと平行に且つ水平に１２２ｍｍの長さに屈曲させて芯受け体４ｂが形成され、更にその先端を長さ３０ｍｍ程上に向けて屈曲した抜止め４ｃが形成される。
【００２２】
前記ロール支持部４ａの基部１への固定は、基部１の背面部１ａ又は両側面部１ｂ、１ｂに溶接で直接で固着する態様や、図１に示すように、両側面部１ｂ、１ｂに設けた孔に前記ロール支持部４ａの基部を水平に貫通させて孔部分を溶接で固着する態様等が可能である。本実施例においては、図１に示す両側面部１ｂ、１ｂに棒体を固着した態様で以下説明する。
【００２３】
ロールペーパーＲは、前記芯受け体４ｂの先端部の抜止め４ｃを前記芯材Ｓに貫通させて前記ロールペーパーＲを前記ロール支持部４ａに突き当て、そのまま手を離すと空洞Ｋ内のロールペーパーＲ中心から上に離れた位置で前記芯受け体４ｂに吊り下げられる。
【００２４】
そして、前記基部１の上部に枢支部２を設けて、該枢支部２に先端部５ａに幅１２５ｍｍの前記ロール幅よりも少し幅広なペーパー切断刃５ａを設けたロール押圧部５を上下擺動可能に枢支する。
該ペーパー切断刃５ａは、前記ロール装填部４に装填した前記ロールペーパーＲの前側に当たり、前記ロール押圧部５を手で下に押え付けてペーパー切断刃５ａから下に垂らしたペーパーＰを手に持って上側に折り返してそのまま引くとペーパーＰが切断されるように先端部を鋸状に形成することができる。
該ペーパー切断刃５ａの全体は前記ロール押圧部５の先端部に直に形成することもできるが、別に用意した樹脂製の細い刃先を接着剤等で固着する態様も可能であり、又その形状は波形や山形などの各種形状を選択することも可能である。
なお、前記枢支部２は、図１には、前記基部１の上部の両側面部１ｂ、１ｂを水平に貫通させた前記ロール支持体４ａの棒体基部を該枢支部２の枢支軸２ａとして利用した態様を示す。
【００２５】
そして、前記芯受け体４ｂに吊られた前記ロールペーパーＲの外周面の前側面に当接し、前記芯材Ｓが芯受け体４ｂで支持されつつ該ロールペーパーＲを回動させて押し上げ可能とするロール当接部６を前記ロール押圧部５の下部又はペーパー切断刃５ａと一体的に設ける。
このロール当接部６は、図１に示すように、ペーパー切断刃５ａ自体をロール当接部６とすることも可能である。又図示しないが前記ロール押圧部５の下部のペーパー切断刃５ａの近傍にペーパー切断刃５ａに添わせて別の凸条のロール当接部６を設けることも可能である。
【００２６】
そして、図２に示すように、前記ロール押圧部６を前記ロールペーパーＲの前側に必ず当たるようにするために、前記ロール押圧部５の板面の前半分程を上に膨らむように曲率半径６０ｍｍの曲面に湾曲させ、ロールペーパーＲの上部を避けてその下部面に設けたロール当接部６がロールペーパーＲの前側に当たるように形成する。
又、図４に示すように、ペーパーＰの使用により径が減衰し、小さくなって芯材Ｓの径に近づいた状態となった場合においても、ロールペーパーＲの前側の面に対して当接可能となるようにするため前記枢支部２からロール当接部６までの長さを、最小ではロール押圧部６が前記芯受け体４ｂの位置より遠くに達する１１０ｍｍ以上の長さとし、最大では前記最小の長さに芯材Ｓの径を加えた長さ１５０ｍｍを超えない長さとする。本実施例における最適な長さは１３５ｍｍから１４０ｍｍである。
なお、ロール当接部６は、新しく装填した径の大きいロールペーパーＲには、前記ペーパー切断部５の先端部のペーパー切断刃５ａが当たり、径が小さくなって芯材Ｓの径に近づいた状態となったロールペーパーＰには前記ペーパー切断刃５ａから離れて、その近傍のロール押圧部５の下部に当たるよう、ロールペーパーＲの径の大きさによって当接部位が移動するロール押圧部６を設ける態様も可能である。
【００２７】
そして、前記基部１の両側面部１ｂ、１ｂの枢支部２の下方に両側面部１ｂ、１ｂを水平に貫く孔を、該孔に別の下部枢支軸３ａを貫通させたとき該下部枢支軸３ａが上側の枢支軸２ａと平行となるように設ける。即ち、前記基部１の上側には枢支軸２ａを備えた枢支部２が、下側には前記下部枢支軸３ａを備えた下部枢支部３が設けられるが、その上側の枢支軸２ａと下側の枢支軸３ａとは上下に一定の間隔を置いて平行に設ける。
そして、前記下部枢支軸３ａには上部に枢支部７ａを設けた板状のロール送出し部７を前後擺動可能に設ける。
該ロール送出し部７には、基部１に一方を固定して板面を前へ付勢するバネ９を設け、該ロール送出し部７の下端部７ｂまでの長さをペーパーＰの使用により径が減衰しても前記バネ９の付勢で必ずロールペーパーＲの後側に板面が当接可能な長さとする。
該ロール送出し部７は、本実施例では幅３０ｍｍで長さ１１０ｍｍとする。
【００２８】
そして、該ロール送出し部７の前面には、ロールペーパーＲの外周面に対して前記ペーパーＰの先端部を送り出す方向には抵抗少なく且つその逆方向には抵抗大とする逆止面８ａを有する逆止体８を設ける。
該逆止体８の逆止面８ａは、装填されたロールペーパーＲ後側に対する接触面を繊維を上方へ傾斜させた偏向植込み繊維面を形成した態様が可能である。
該偏向植込み繊維面は硬く弾発性がある直線状合成樹脂製の硬質繊維を一定の長に揃えて等間隔に密に全て同方向へ傾斜させて植え込んで形成されたものが使用可能である。
この偏向植込み繊維面によって、装填されたロールペーパーＲを繊維が倒れた抵抗が少ない方向に回転させると該偏向植込み繊維面をペーパー表面が滑って円滑に回動するが、その逆方向にロールペーパーＲを回転させようとすると偏向植込み繊維面の傾斜した繊維が突き刺さるように引っ掛かるため円滑な回転がなされなくなる。該偏向植込み繊維面とした逆止面８ａはこのようしてペーパーの表面に対する高い逆止効果が発揮される。
なお、前記逆止面８ａを、摩擦抵抗を高めるために単純な粗面とした場合では、ペーパーＰに対する逆止効果が得られず、ロールペーパーＲの送り出しができなくなるので好ましくはない。
【００２９】
又、前記バネ９の弾発力は、コイルバネ等で、前記ロール装填部４における芯受け体４ｂのほぼ真下にロールペーパーＲの中心が保持されたままで、図４に示すように、ロールペーパーＲが使用により径が減衰しても該ロールペーパーＲの後側の外周面に対して前記ロール送出し部７の逆止面８ａが常に当接可能な弾発力とする。
しかしながら、該バネは過度に強力なものを使用すると、装填されているロールペーパーＲを常時前へ強く押し出した状態となり、後述の前記ロール当接部６でロールペーパーＲを押し下げる際に、ロールペーパーＲがロール当接部６とロール送出し部７に強く挟まれて前記芯材Ｓが前記芯受け体４ｂから離れて浮き上がってしまい、前記ロール当接部６によるロールペーパーＲの押し上げに支障を来たしたり、押し上げられたロールペーパーＲの自重落下が妨害される可能性があるので好ましくない。又、該バネ９が極めて弱いと減衰して径が小さくなったロールペーパーＲに当接することができなくなる場合があるので好ましくない。
【００３０】
そして、ロールペーパーＲの後側に常に前記バネ９の力で軽く当接している逆止面８ａを偏向植込み繊維面とした場合、該偏向植込み繊維面がロールペーパーの後面に接触した状態でロールペーパーＲが押し上げられたときには、偏向植込み繊維面上を滑って抵抗なくロールペーパーＲが押し上げられ、次に手を離したとき、偏向植込み繊維面が当接したままでロールペーパーＲが落下するが、その際、偏向植込み繊維面の繊維がペーパーの繊維に突き刺さって確実に落下を阻害する働きをし、該ロールペーパーＲの後側の外周面を支えるので前記芯受け体４ｂはロールペーパーＲの芯材Ｓ上部内面を後方へ移動しつつ落下する。
この際、該ロールペーパーＲのペーパー送り出し方向（ロールペーパーＲの前側が下がる方向）の回転が発生し、この結果、ペーパー切断刃５ａに裏に隠れていたペーパーの先端部が前記ペーパー切断刃５ａの下側に一定の長さに送り出されて露出する。
【００３１】
又、図１及び図３に示すように、前記ロール送出し部７とロール押圧部６との間に、ロール当接部６の上方移動に従動してロール送出し部７が後方移動する連係機構１０を設ける。
該連係機構１０は、ロールペーパーＲを装填する際に、前記ロール送出し部７とロール当接部６とを同時に前記芯受け体４ｂから離れる方向に移動させ、前記ロールペーパーＲをロール装填部４に装填可能な空間を得ようとするものである。
従って、該連係機構１０は常時に作動させるものではないので、ペーパーの送り出しに邪魔にならないように、前記芯受け体４ｂから離れているロール当接部６を下方へ戻す途中で、該ロール当接部６がロールペーパーＲに当たる前に連係機構１０による前記ロール送出し部７とロール押圧部６との相互の拘束関係が解除されるようにする。
【００３２】
例えば、図１に示すように、前記連係機構１０は、前記ロール押圧部５の枢支部５ｃの下部に下向きに突設した押圧回動片１１を該ロール押圧部５と一体的に設け、又前記ロール送出し部７の枢支部７ａの上部に上向きに突設した受圧回動片１２を該ロール送出し部７と一体的に設けることができる。
この態様においては、図３に示すように、前記ロール押圧部５を上げたとき、該ロール押圧部５の押圧回動片１１の先端部１１ａが、前記ロール送出し部７の受圧回動片１２の湾曲部１２ｂの上面に接触して該湾曲部１２ｂを前に押し出すように押し下げることでロール送出し部７を新しいロールペーパーＲが装填可能な開き角度が得られる後方まで後退可能とし、又、上がっている前記ロール押圧部５を下に戻したときには、ロール当接部６がロールペーパーＲに当たる前に前記押圧回動片１１が前記受圧回動片１２から離れるように押圧回動片１１と受圧回動片１２を形成する。
【００３３】
その押圧回動片１１と受圧回動片１２の形状は、該押圧回動片１１については前記ロール押圧部５の枢支部５ｃには該枢支部５ｃから下向き且つ先端部１１ａまでの途中を後側へ膨らむ湾曲形状とし、又前記受圧回動片１２については前記ロール送出し部７の枢支部７ａには該枢支部７ａから上向き且つ先端部１２ａまでの途中を後ろ側へ膨らんだ湾曲形状とする。
このような湾曲形状とすることで、前記押圧回動片１１及び受圧回動片１２がその枢支部１１ｃ、１２ｃを中心に夫々前記ロール押圧部５及びロール送出し部７と一体となって回動し、図３に示すように、前記ロール押圧部５を途中まで上げると押圧回動片１１の先端部１１ａが受圧回動片１２の湾曲部１２ｂの上面に滑らかに当たり、さらに前記ロール押圧部５を上げることで前記押圧回動片１１は前側に回動し、同時に該押圧回動片１１がその先端部１１ａに当たっている前記受圧回動片１２の湾曲部１２ｂを滑らかに前側に押して回動させ、この結果、前記受圧回動片１２と一体のロール送出し部７が後側に連動して円滑に回動する。
そして、前記ロール送出し部７とロール当接部６とが前記芯受け体４ｂから大きく離れた状態となると、前記芯受け体４ｂの周囲に邪魔するものがなくなってロールペーパーＲが余裕を持って前記ロール装填部４に装填できるようになる。
【００３４】
そして、この状態から前記ロール押圧部５を更に上げると、前記連係機構１０の前記ロール送出し部７とロール当接部６との連動が解消されて、図１に示すように、前記ロール押圧部５は基部１上に直立し、前記ロール送出し部７はバネ９に押されてロールペーパーＲの後側に当接することとなる。
又、その状態から前記ロール押圧部５を下げると、前記押圧回動片１１の湾曲部１１ｂの下面が前記受圧回部動片１２の先端部１２ａ又は湾曲部１２ｂに接触して連動が再開され、前記ロール送出し部７を後側に移動させるが、その後、前記ロール送出し部７とロール当接部６との連動が解消されて、図２に示すように、前記ロール押圧部５は、ロールペーパーＲの前側上部に乗り、前記ロール送出し部７はバネ９に押されてロールペーパーＲの後側に当接することとなる。
【００３５】
このように、前記ロール送出し部７とロール当接部６との連係機構１０による連動が解消されることにより、ロールペーパーＲが装填されている状態においては、押圧回動片１１が受圧回部動片１２よりも後ろ側に離れた状態に維持され、ロール送出し部７が前記押圧回動片１１に拘束されずに常にバネ９で前に押されてロールペーパーＲの後側に当接させることが可能となり、一方、前記ロール当接部５の方も前記受圧回動片１２に拘束されずにロールペーパーＲの前側上部に自重で乗り、そのまま前記ロール押圧部５を手で押してロールペーパーＲを押し下げることが可能となる。
【００３６】
又、前記ロール送出し部７とロール押圧部５との連動が解消された後に、ロールペーパーＲを交換するため前記ロール押圧部５を持ち上げたとき、仮にロール押圧部５の押圧回動片１１が前記ロール送出し部７の受圧回部動片１２に接触しないようにすると前記ロール送出し部７とロール押圧部５とは連係不能となって、前記ロール送出し部７を後退させることができず、ロールペーパーの円滑な装填が困難となってしまうおそれがある。このため、前記受圧回部動片１２の長さを前記受圧回部動片１２の先端部１２ａが前記枢支部２まで達する長さに形成する。
この態様では、該受圧回部動片１２を該枢支部２よりも前側に配置することで、ロール押圧部５を下げて押圧回動片１１を後退させたとき、該押圧回動片１１が前記枢支部２の位置よりも後側に後退しても、前記受圧回部動片１２の先端部１２ａは前記枢支部２の枢支軸２ａに当たって止まり、前記受圧回部動片１２はそこより後退はしないので、前記受圧回部動片１２は前記押圧回動片１１の影響から離脱して前記ロール送出し部７とロール当接部６との連動が一旦は解消される。
そして、再度ロール押圧部５を上げたときには前記受圧回部動片１２の後側に必ず押圧回動片１１が突き当たるので前記ロール送出し部７とペーパー切断部５との連動が再開可能となる。
なお、前記受圧回部動片１２が当たって止まる最適な位置を選んで別にストッパを前記ロール送出し部７又は前記受圧回部動片１２に対して設けることもできる。
【００３７】
又、基部１とロール押圧部５との間に、押されて下に移動したロール当接部６が元の位置に戻るように付勢する戻りバネ１５を設けることができる。
前記ロール押圧部５が重たい金属製の場合、ペーパーＰの使用により径が減衰軽くなると、そのままではロールペーパーＲは極めて軽いのでロール押圧部５の自重が勝ってロールペーパーＲを常に後ろに押し上げた状態のまま落下できなくなるおそれがある。この状態ではロール当接部６を押してもロールペーパーＲを更に後ろに押し上げることができないのでペーパーＰを送り出せなくなってしまう。
そこで、本考案ではロール押圧部５の重量の大きい自重に抗して戻りバネ１５でロール押圧部５を押し上げることで、前記芯受け体４ｂに吊られてロール当接部６の押圧によって後側へ押し上げられたロールペーパーＲを該芯受け体４ｂのほぼ真下に該ロールペーパーＲの重心を戻すことでロールペーパーの送り出しが円滑に行えるようになる。
なお、ロール押圧部５をプラスチック製とした場合には、軽いので戻りバネ１５は不要となる。
【００３８】
次に、本考案のロールペーパーホルダーにロールペーパーＲを装填することから順に使用方法を説明する。
最初は、ロール装填部４にロールペーパーＲは装填されていないので、前記ロール押圧部５が前記芯受け体４ｂの上に自重で乗り、前記ロール送出し部７がバネ９に押されての後側からバネ９に押されて逆止面８ａが前記芯受け体４ｂに当接した状態となる。
但し、前記受圧回部動片１２の先端部１２ａまでを前記枢支部２と前記下部枢支部３との間よりも長くした場合には、前記受圧回部動片１２の先端部１２ａが前記枢支部２の枢支軸２ａに当たってそれより後退できないので前記逆止面８ａは前記芯受け体４ｂに当接せずに少し離れた近接状態となる。
【００３９】
そこで、新しいロールペーパーＲを用意し、ロール押圧部５を上へ途中まで開くと、図３に示すように、前記連係機構１０が働いて、ロール送出し部７が後退し、前記芯受け体４ｂの周囲にロールペーパーＲを差し込める広さの空間が現れる。
この空間内において、図３に示すように、前記芯受け体４ｂにロールペーパーＲの芯材Ｋを差し込み、ロールペーパーＲから手を離すとロールペーパーＲが芯材Ｓの空洞Ｋ内上部が前記芯受け体４ｂに当接した状態で吊り下げられる。
【００４０】
なお、この状態からロール押圧部５を更に上に開くと、図１に示すように、ロールペーパーＲがロール装填部４に装填されて、ロール送出し部７の逆止面８ａがバネ９に押されてロールペーパーＲの後側面に当接した状態となり、直立したロール押圧部５は壁面に当たって停止した状態となるが、ロールペーパーＲを装填するにはそのようにロール押圧部５を最大に上げる必要はない。しかし、ロール押圧部５を直立させておけばロール装填部４やロール押圧部５下面等の汚れを拭き取る際には便利である。
【００４１】
次に、ロール押圧部５を下げると、前記連係機構１０が働いて途中で一時的にロール送出し部７の逆止面８ａがロールペーパーＲから後ろに離れるが、更に下げると、前記連係機構１０の働きが解除されてロール押圧部５のロール当接部６がロールペーパーＲの前側に自重で乗ってその当接状態が維持される。
以上で、ロールペーパーホルダーへのロールペーパーＲの最初の装填が完了する。
【００４２】
次に、ロールペーパーを使用して、芯材Ｓが残り、これを新しいロールペーパーＲと交換する場合を説明する。
ペーパーがなくなった芯材Ｓの後側では、前記受圧回部動片１２の先端部１２ａが前記枢支部２の枢支軸２ａから前に少し離れて前記ロール送出し部７の逆止面８ａがバネ９に押されて芯材Ｓに当接し、又該芯材Ｓの前側では、ロール押圧部５のロール当接部６が芯材Ｓ上に自重で当接した状態となっている。
そこで先ず芯材Ｓに乗っているロール押圧部５を上へ途中まで開くと、図３に示すように、前記連係機構１０が働いて、ロール送出し部７が後退し、前記芯受け体４ｂに残った芯材Ｓの周囲に何もない空間が広がる。
そしてこの状態を維持させて、前記芯受け体４ｂから芯材Ｋを抜き出し、図３に示すように、前記芯受け体４ｂに新しいロールペーパーＲの芯材Ｋを端部の抜止め４ｃをよけるように奥まで差し込み、ロールペーパーＲから手を離すとロールペーパーＲが前記芯受け体４ｂに当吊り下げられた状態となる。
そして、前記ロール押圧部５を下げればロールペーパーＲの交換が完了する。
【００４３】
次に、ペーパーの先端部をペーパー切断刃５ａから下方へ送り出すことができる仕組みについて説明する。
先ず、図２の実線で示すように、ロールペーパーＲには後側ではバネ９に付勢されたロール送出し部７の逆止面８ａが当接し、前側ではロール押圧部５のロール当接部６が自重で乗って当接している。
そこで、手でロール押圧部５を押し下げると、前記芯受け体４ｂを中心にロールペーパーＲが回転しつつ後方へ移動し、同時にロール送出し部７も前記バネ９の付勢に抗して一点鎖線で示される位置まで押し上げられる。
このことを更に詳しく説明すると、ロール押圧部５の押し下げでロール当接部６が図２中のｅ点からｆ点に移動し、ロールペーパーＲは自由に移動できる広い空洞Ｋ内のロールペーパーＲ中心から離れた芯材の上部位置で吊られているので、芯材Ｓはｉ位置からｊ位置へと移動する。
その際に、ロールペーパーＲの吊り下げ位置を中心にロールペーパーＲが回転して接触点ａが逆止面８ａに接触して逆止面８ａを滑りつつ接触点ｂへ移動する。即ちロール当接部６の下への押圧でロールペーパーＲが図２中の一点鎖線に位置に押し上げられることとなる。
【００４４】
次に、ロール当接部６から手を離すと、ロールペーパーＲが自重で落下開始するが、その際、芯材Ｓが芯受け体４ｂに吊られて拘束された状態でバネ９の力で逆止面８ａに押されているロールペーパーＲが実線で示す元の位置へと移動する。
その際に、ロールペーパーＲは接触点ｂで逆止面８ａに押されて当接しつつ逆止状態を保って接触点ａへと移動する。そしてこの際、ロールペーパーＲの後側の外周面が支えられるので前記芯受け体４ｂがロールペーパーＲの芯材Ｓ上部内面を後方へと滑るように移動（図２中の符号４ｂの位置から符号Ｊの位置へ移動）しつつロールペーパーＲの前側が落下する。
即ち、線分ｂ−ａと等しい線分ｄ−ａの距離だけ逆止面８ａを滑らずに転がるように移動することとなる。そしてこの際、ロールペーパーＲのペーパー送り出し方向（ロールペーパーＲの前側が下方向）への回転が発生する。
このようにロールペーパーＲの後側の元のａ位置からｄ位置まで角度αだけ回転することで、ロールペーパーＲの前側は同じ角度αだけ回転し、ペーパー先端部がロール当接部６の接触点ｅ位置からｇ位置まで送り出されることとなる。
【００４５】
又、ロール当接部６を素早く下に押した場合には、ロールペーパーＲは速度を持って慣性により前側が下へ押されて芯受け体４ｂを中心に大きく後方に回転することで、その分後側が上へと回転し元の接触点ａは前記接触点ｂよりも更に上へと進むこととなる。
即ち、ロール当接部６を速度をつけて下に押し下げることでロールペーパーＲが上記静的な移動よりも大きく図３の動的な移動角度βで示す角度を加えた大きい角度でペーパーを送り出す方向に大きく回転し、逆止面８ａによってその位置からその逆回転を起こさずにペーパー先端部がロール当接部６の接触点ｅ位置からｇ位置を越えてｈの位置まで送り出されることとなる。
【００４６】
本考案は上記の如く、常時はロール押圧部５がロールペーパーＲの前側に自重で乗って連係機構１０の働きが解除された状態で、使用するペーパー切り取り時のペーパー切断部５の押し下げで、ペーパー先端部が自動的に送り出され、次回の使用時に先端部が下に垂れた状態となっているのでロール押圧部５の押し下げ操作せずにペーパーを引き出すことが可能となる。
また、よりペーパー先端部を長く送り出したいときにはロール押圧部５を数回押すか又は叩くように押せばペーパーＰが大きく下に垂れ下がるのでより掴み易くなる。
【産業上の利用可能性】
【００４７】
本考案のペーパーホルダーは主としてトイレットペーパー用とするものであるが、円筒状の芯材にペーパーを巻着したロールペーパーを使用する手拭用等のホルダーについても利用可能である。又、台上に直立させた卓上板に基部を固着して移動式としたホルダーとして利用することも可能である
【符号の説明】
【００４８】
１  基部
１ａ  背面部
１ｂ  側面部
２  枢支部
２ａ  枢支軸
３  下部枢支軸
３ａ  下部枢支部
４  ロール装填部
４ａ  ロール支持体
４ｂ  芯受け体
４ｃ  抜止め
５    ロール押圧部
５ａ  ペーパー切断刃
５ｂ  湾曲部
５ｃ  枢支部
６  ロール当接部
７  ロール送出し部
７ａ  枢支部
７ｂ  下端部
８  逆止体
８ａ  逆止面
９  バネ
１０  連係機構
１１  押圧回動片
１１ａ  先端部
１１ｂ  湾曲部
１１ｃ  枢支部
１２  受圧回動片
１２ａ  先端部
１２ｂ  湾曲部
１２ｃ  枢支部
１３  枢支片
１４  枢支管
１５  戻りバネ
Ｒ  ロールペーパー
Ｓ  芯材
Ｋ  空洞
Ｐ  ペーパー
Ｗ  壁面
【図１】
0003200214.tif 000003
【図２】
0003200214.tif 000004
【図３】
0003200214.tif 000005
【図４】
0003200214.tif 000006